(57)【要約】【課題】  粘着剤を覆う剥離紙が不要であり、しかもカバーフィルムを一枚ずつ個別に使用することができ、また粘着剤と離型剤の塗工はカバーフィルムの一方の面だけで事が足り、低コスト化を期すことのできる容器用トップカバーフィルムを提供する。【解決手段】  矩形に形成された合成樹脂製のフィルム材１の一方の面に、フィルム材の左右の側辺に沿う帯状の左右の粘着剤塗布部２、２を設け、これら粘着剤塗布部の各内側に、粘着剤塗布部と略平行をなす帯状の左右の離型剤塗布部３、３を設け、左右の粘着剤塗布部を、各粘着剤塗布部に隣接する左右の離型剤塗布部上に折り畳んで粘着剤塗布部を離型剤塗布部に貼り付けてなる構成のものとした。【選択図】  図２
2005306383.tif 000002
【特許請求の範囲】
【請求項１】
矩形に形成された合成樹脂製のフィルム材の一方の面に、フィルム材の左右の側辺に沿う帯状の左右の粘着剤塗布部を設け、これら粘着剤塗布部の各内側に、粘着剤塗布部と略平行をなす帯状の左右の離型剤塗布部を設け、左右の粘着剤塗布部を、各粘着剤塗布部に隣接する左右の離型剤塗布部上に折り畳んで粘着剤塗布部を離型剤塗布部に貼り付けてなる容器用トップカバーフィルム。
【請求項２】
前記各粘着剤塗布部と、各粘着剤塗布部に隣接するフィルム材の側辺との間に粘着剤非塗布部を設けてなる請求項１に記載の容器用トップカバーフィルム。
【請求項３】
前記各粘着剤塗布部の前後の端部と、フィルム材の前後の辺との間に粘着剤非塗布部を設けてなる請求項１に記載の容器用トップカバーフィルム。
【請求項４】
前記フィルム材が透明であって、このフィルム材の左右の側辺に、縁取り印刷部を設けてなる請求項１に記載の容器用トップカバーフィルム。
【発明の詳細な説明】
【技術分野】
【０００１】
本発明は、上部が開口する容器の開口上部を封止するためのトップカバーフィルムに関し、より詳しくは果物類やきのこ類を収容する蓋のない容器の上部を覆うカバーフィルムに関する。
【背景技術】
【０００２】
いちごやぶどう等の果物やきのこ類は、外部からの圧力を受けると傷み易く、また容器に収容した状態でも通気性が充分に得られ、かつ内容物が外からよく見えるようにするため、図５に示されるように上部に蓋のない合成樹脂製やボール紙製の容器３１に果物等の内容物３２、３２を収容し、容器の上部に透明な薄いトップカバーフィルム３３を覆い掛けるのが一般的である。
【０００３】
上述のカバーフィルムは、その側辺部を容器の側面にセロハンテープ等の粘着テープ３４で貼り付けて使用されていたが、近年では粘着テープをいちいち貼るのに手間が掛かるため、図６に示されるように予めカバーフィルム３３の裏面における側辺部寄りに粘着剤３５を塗布して剥離紙３６を被せておき、使用時に剥離紙を取り除いて容器の側面に粘着剤部分を付着するようにしている。
【０００４】
上記剥離紙３６は、紙よりなる基材の表面にラミネートした樹脂層上に離型材たるシリコーン樹脂を塗工したものが一般的に使用されているが、例えば１０００パックの容器に品物を詰める場合には、２０００本の剥離紙がごみとなり、その処分が煩雑であるだけでなく、剥離紙は紙に樹脂をラミネートしてあるので、古紙としての再利用を目的とした廃棄処分が困難であるという問題がある。
【０００５】
剥離紙の問題に関しては、剥離紙を古紙として再利用できるように前記樹脂層を用いないものが開発されたり、剥離紙を用いないようにしたカバーフィルム（例えば特許文献１参照）が提案されたりしている。
【０００６】
従来の剥離紙を用いないカバーフィルムでは、カバーフィルムを積層することにより、一枚のカバーフィルムの粘着剤塗布部分を隣に積層されたカバーフィルムの粘着剤塗布面とは反対側の面で覆うように構成してある。
【０００７】
しかし、フィルムを使用しない場合には粘着面を剥離紙等の何らかの部材で保護しておかなければならないという問題や、粘着剤の粘着強度を充分に検討しないとフィルムを一枚ずつ使用したくても、複数枚のフィルムが一度に剥がれてしまうことがあるという問題がある。
【０００８】
また、粘着剤の塗布と、粘着剤を覆う離型剤塗布部分はフィルムの表裏別々になるので、製作時における粘着剤および離型剤の塗工に手間が掛かり、製作コストが嵩むという問題もある。
【特許文献１】実用新案登録第３０８４２２２号公報（第１〜９頁、図１〜３）
【発明の開示】
【発明が解決しようとする課題】
【０００９】
本発明の目的とするところは、粘着剤を覆う剥離紙が不要であり、しかもカバーフィルムを一枚ずつ個別に使用することができ、また粘着剤と離型剤の塗工はカバーフィルムの一方の面だけで事が足り、低コスト化を期すことのできるカバーフィルムを提供することにある。
【課題を解決するための手段】
【００１０】
上記目的を達成するために、本発明の請求項１に係るトップカバーフィルムは、矩形に形成された合成樹脂製のフィルム材の一方の面に、フィルム材の左右の側辺に沿う帯状の左右の粘着剤塗布部を設け、これら粘着剤塗布部の各内側に、粘着剤塗布部と略平行をなす帯状の左右の離型剤塗布部を設け、左右の粘着剤塗布部を、各粘着剤塗布部に隣接する左右の離型剤塗布部上に折り畳んで粘着剤塗布部を離型剤塗布部に貼り付けた構成のものとしてある。
【００１１】
本発明の請求項２に係るトップカバーフィルムは、前記各粘着剤塗布部と、各粘着剤塗布部に隣接するフィルム材の側辺との間に粘着剤非塗布部を設けた構成のものとしてある。
【００１２】
本発明の請求項３に係るトップカバーフィルムは、前記各粘着剤塗布部の前後の端部と、フィルム材の前後の辺との間に粘着剤非塗布部を設けた構成のものとしてある。
【００１３】
また、本発明の請求項４に係るトップカバーフィルムは、前記フィルム材の左右の側辺に縁取り印刷部を設けた構成のものとしてある。
【発明の効果】
【００１４】
本発明に係るトップカバーフィルムによれば、粘着剤塗布部をこの粘着剤塗布部に隣接して設けた離型材塗布部に貼り付けてあるので、使用前において粘着剤塗布部を剥離紙で覆う必要がなく、したがって従来のカバーフィルムのように粘着剤塗布部を覆う剥離紙が不要でその廃棄処分の手間やコストが掛からない。
【００１５】
また、トップカバーフィルムの使用時にはフィルムの下面側に折り畳まれているフィルム材の側辺部を指で開くことにより、左右の粘着剤塗布部が左右の離型材塗布部から容易に剥離され、そのまま粘着剤塗布部を容器の側面に容易かつ確実に貼り付けて使用することができる。特に、フィルム材の側辺部と粘着剤塗布部間に粘着剤非塗布部を設けてあるものでは、フィルム材の側辺部を開く際に指を掛け易く、より容易に使用することができる。
【００１６】
さらに、フィルム材の前後辺部と粘着剤塗布部間に粘着剤非塗布部を設けてあるものでは、例えばいちご収納用に広く用いられているような側面が下方に向って内側に傾斜する容器のカバーとして使用する場合に、フィルムの前後辺が容器に接着されず、したがってカバーフィルムに皺が寄って体裁が悪くなるようなおそれがまずない。
【００１７】
また、フィルム材が透明であって、フィルム材の左右の側辺部に縁取り印刷部を設けたものでは、カバーフィルムを使用する際に、指を掛ける部分を容易に識別でき、容器へのカバーフィルムの装着をより容易に行なうことができる。
【実施例】
【００１８】
以下、本発明に係るトップカバーフィルムの実施例を添付図面に示す具体例に基づいて詳細に説明する。
フィルム材１は、ポリプロピレン、ポリスチレンあるいはポリエチレンテレフタレート等の透明な合成樹脂製のものとしてあり、例えば一般的にいちごのパック詰め用として広く用いられている開口上部が１１ｃｍ×１６ｃｍ、高さが５ｃｍ程度の容器のカバー用に用いられるものの場合、２２ｃｍ×１５ｃｍ程度の矩形としてある。
【００１９】
前記フィルム材１は、左右の側縁部１ａ、１ｂがフィルム材の一方の面、具体的には容器への装着の際に下側となる面の側に内側に折り畳まれていて、左右の側縁部にそれぞれ設けた粘着剤塗布部２、２を、フィルム材の下面に粘着剤塗布部と対向するように設けた離型剤塗布部３、３に貼り付けてある。
【００２０】
すなわち、前記側縁部１ａ、１ｂを展開した状態においては、図３に示されるようにフィルム材の左右の側辺に沿ってそれぞれ左右の粘着剤塗布部２、２が形成され、各粘着剤塗布部の内側に左右の離型剤塗布部３、３が形成され、左右の各粘着剤塗布部と離型剤塗布部との間を折目４として前記側縁部が形成される。
【００２１】
また、前記粘着剤塗布部２、２とフィルム材１の側辺との間には第１の粘着剤非塗布部５を設けてあり、粘着剤塗布部の前後端部とフィルム材の前後辺との間にも第２の粘着剤非塗布部６を設けてあり、さらにフィルム材１の側辺部には縁取り印刷部７を設けてあって、側縁部が折り畳まれている側とは反対側からこの縁取り印刷部が透視できるようにしてある。
【００２２】
なお、前記粘着剤塗布部２に用いる粘着剤としては適宜の感圧性接着剤を使用することができ、特に若干の再剥離性を有する粘着剤であれば、容器に対するカバーフィルムの貼り直しができるというメリットがある。
【００２３】
また、離型剤塗布部３に用いる離型剤としては、一般的な剥離紙の表面塗工用として広く用いられているシリコーン樹脂を使用する。
【００２４】
上述のように構成した本発明のカバーフィルムは、前記左右の側縁部１ａ、１ｂを下側に向けた状態で左右の手の人差し指乃至小指をそれぞれ左右の側辺部の縁における粘着剤非塗布部５に掛けて各親指との間で把持し、そのままカバーフィルムの中央部分を容器の上部に覆い掛け、その後指先で左右の側辺部を容器の側面に沿って下方に開きながら、すなわち粘着剤塗布部２、２を離型剤塗布部３、３から引き剥がしながら引き降ろす。
【００２５】
この際、フィルム材１の左右の側辺部寄りには縁取り印刷部７を設けてあって、フィルム材の左右の辺部が上面側からも透視することができるようにしてあるので、老人や子供でもカバーフィルムの装着を容易に行なうことができ、また側辺部を開く際には前記人差し指乃至小指の先端がわずかに粘着剤塗布部２、２に触れて若干同粘着剤塗布部が指の先端に粘着するので、側縁部１ａ、１ｂを下方に引張り易くて容易に開くことができる。
【００２６】
その後、粘着剤塗布部をフィルム材の反対側の面から指で容器に押圧することによりカバーフィルムが容器側面に貼り付けられる。
【００２７】
図４に示されるようにトップカバーフィルム８の前後の端部はそれぞれの一部が容器の前後にはみ出すが、粘着剤塗布部の前後の端部とフィルム材の前後の辺部との間に粘着剤非塗布部６を設けてあるので、カバーフィルムの角部が容器の前後面に貼り付いてカバーフィルムに皺が寄るようなことが防止され、容器９に詰めた商品１０の体裁を損なうようなおそれはまずない。
【００２８】
上述した実施例のものでは、フィルム材１を透明なもので構成してあるが、半透明なものや不透明な材質のものを使用する場合もある。
【００２９】
また、粘着剤塗布部２は帯状に設けるように構成してあるが、粘着剤の塗布部を帯状に構成すれば粘着剤自体は連続して塗布しておく必要はなく、例えば網点状や破線状の不連続に塗布する場合もある。もちろん、離型剤塗布部３も少なくとも粘着剤塗布部を粘着（仮止め）させることができるのであれば、必ずしも連続した帯状のものとしなくてもよい。
【００３０】
さらに、上述した実施例のものでは粘着剤塗布部２、２の前後におけるフィルム材の前後辺との間に粘着剤非塗布部６を設けてあるが、カバーフィルムを装着しようとする容器が例えば直方体状のもののようにカバーフィルムの隅部を容器にぴったりと貼り付けることができるものであれば、上記粘着剤非塗布部６を設けない場合もある。
【００３１】
また、上述した実施例のものはフィルム材を予め矩形状にカットしたものとしてあり、個別のカバーフィルムが独立した状態で使用者に供給される場合を想定した構成であるが、多数のカバーフィルムを前後方向に連続してロール状に巻取った形態のものとする場合もあり、この場合には連続した長尺のカバーフィルムを一枚分ずつにカットして使用するが、カットする部分については予めミシン目等の切り離し線を設ける場合もあるし、適宜のカッタで切断するように構成する場合もある。
【図面の簡単な説明】
【００３２】
【図１】本発明に係るトップカバーフィルムの実施例を示す斜視図。
【図２】本発明に係るトップカバーフィルムの要部を拡大して示す縦断斜視図。
【図３】本発明に係るトップカバーフィルムを裏返して展開した状態を示す斜視図。
【図４】本発明のトップカバーフィルムを容器に装着した状態を示す斜視図。
【図５】従来のトップカバーフィルムの装着状態の一例を示す斜視図。
【図６】従来の他のトップカバーフィルムを裏返して示す斜視図。
【符号の説明】
【００３３】
１  フィルム材
２  粘着剤塗布部
３  離型剤塗布部
４  折目
５  第１の粘着剤非塗布部
６  第２の粘着剤非塗布部
７  縁取り印刷部
８  トップカバーフィルム
９  容器
１０  商品
【図１】
2005306383.tif 000003
【図２】
2005306383.tif 000004
【図３】
2005306383.tif 000005
【図４】
2005306383.tif 000006
【図５】
2005306383.tif 000007
【図６】
2005306383.tif 000008